(57)【要約】  電源装置（１０１）は、前側に開口部（８）を有し、自立可能な筐体（１）と、開口部（８）を通じて前後方向に抜き差し可能なように筐体（１）の内部に配置されたユニット（１０）とを備え、ユニット（１０）は、筐体（１）の内部から前側を向いたときに左側の下端に位置する左下摺動部（１１）と、筐体（１）の内部から前側を向いたときに右側の下端に位置する右下摺動部（１２）と、左下摺動部（１１）と右下摺動部（１２）との間に配置されたフック部（１５）とを備え、フック部（１５）は、下方に向かって延在するフック根元部（１５ａ）と、フック根元部（１５ａ）の下端から前側に向かって延在するフック先端部（１５ｂ）とを含み、筐体（１）の内部には、ユニット（１０）の左下摺動部（１１）を支持し、前後方向に延在する左レール（１３）と、ユニット（１０）の右下摺動部（１２）を支持し、前後方向に延在する右レール（１４）と、左レール（１３）の途中と右レール（１４）の途中とを結ぶように配置されたストッパ（５）とが配置され、ストッパ（５）は、前側にいくほど低くなる傾斜面（５ａ）と、筐体（１）内に設置が完了した状態のユニット（１０）のフック先端部（１５ｂ）の上端より高くフック根元部（１５ａ）の上端より低い高さで左右方向に延在し、後ろ側に向かって露出するストッパ後端辺（５ｂ）とを有している。
2017072946.tif 000002
【特許請求の範囲】
【請求項１】
前側に開口部を有し、自立可能な筐体と、
前記開口部を通じて前後方向に抜き差し可能なように前記筐体の内部に配置されたユニットとを備え、
前記ユニットは、前記筐体の内部から前側を向いたときに左側の下端に位置する左下摺動部と、前記筐体の内部から前側を向いたときに右側の下端に位置する右下摺動部と、前記左下摺動部と前記右下摺動部との間に配置されたフック部とを備え、
前記フック部は、下方に向かって延在するフック根元部と、前記フック根元部の下端から前側に向かって延在するフック先端部とを含み、
前記筐体の内部には、前記ユニットの前記左下摺動部を支持し、前後方向に延在する左レールと、前記ユニットの前記右下摺動部を支持し、前後方向に延在する右レールと、前記左レールの途中と前記右レールの途中とを結ぶように配置されたストッパとが配置され、
前記ストッパは、前側にいくほど低くなる傾斜面と、前記筐体内に設置が完了した状態の前記ユニットの前記フック先端部の上端より高く前記フック根元部の上端より低い高さで左右方向に延在し、後ろ側に向かって露出するストッパ後端辺とを有している、電源装置。
【請求項２】
前記フック部は前記ユニットの重心よりも後ろ側にあり、前記フック部から前記ユニットの重心までの前後方向の距離は、前記ストッパから前記左レールの前端または前記右レールの前端までの距離より短い、請求項１に記載の電源装置。
【請求項３】
前記ストッパは、金属板によって一体的に形成されている、請求項１または２に記載の電源装置。
【請求項４】
前記ストッパは、前記傾斜面と前記ストッパ後端辺との間に平坦なストッパ上面を有する、請求項１から３のいずれかに記載の電源装置。
【請求項５】
前記ユニットは、前記筐体の内部から前側を見たときの左側の側面に左側板を備え、前記筐体の内部から前側を見たときの右側の側面に右側板を備え、前記左下摺動部は前記左側板の下端部であり、前記右下摺動部は前記右側板の下端部である、請求項１から４のいずれかに記載の電源装置。
【請求項６】
前記ユニットは、作業者が把持するための取っ手を備える、請求項１から５のいずれかに記載の電源装置。
【発明の詳細な説明】
【技術分野】
【０００１】
本発明は、電源装置に関するものである。
【背景技術】
【０００２】
電子機器の転倒防止装置について、特開昭５８−１１００９９号公報（特許文献１）に記載されている。この文献に記載された装置においては、筐体にユニットが搭載されており、各ユニットは前側から引出し可能となっている。各ユニットの左右の側面には、ユニットと一体となって前後に移動する案内レールが取り付けられていて、筐体の内壁に固定された固定レールと、この案内レールとの間で摺動することによって、ユニットの前後方向の移動を実現している。【０００３】
電源装置においても、筐体の内部に複数のユニットが搭載されたタイプのものがあり、各ユニットは前側から作業者によって引き出される場合がある。
【先行技術文献】
【特許文献】
【０００４】
【特許文献１】特開昭５８−１１００９９号公報
【発明の概要】
【発明が解決しようとする課題】
【０００５】
電源装置においては、作業者は、点検、修理などの作業の際に、前側からユニットを引き出して作業を行なう。このとき、ユニットが落下することは避けなければならない。一方、ユニットを交換する必要が生じた際には、作業者の意思でユニットを引き出して取り外すことが可能でなければならない。【０００６】
従来、ユニットを引き出した状態で落下しないように保持することができるように、筐体の内壁にレールを設けて、上述の特許文献１のようにユニット側のレールとの筐体側のレールとの間で摺動を行なうような仕組みも考えられていたが、そのようなレールの構造はコストが多くかかり、また、部品点数が多くなってしまい、取付けに手間がかかっていた。【０００７】
そこで、本発明は、作業者によるユニットの引出しを可能としつつ、ユニットの落下を防止することができ、必要に応じてユニットを取り外すことができ、取付けに手間がかからず、コスト増大を招かない機構を備える電源装置を提供することを目的とする。
【課題を解決するための手段】
【０００８】
上記目的を達成するため、本発明に基づく電源装置は、前側に開口部を有し、自立可能な筐体と、前記開口部を通じて前後方向に抜き差し可能なように前記筐体の内部に配置されたユニットとを備え、前記ユニットは、前記筐体の内部から前側を向いたときに左側の下端に位置する左下摺動部と、前記筐体の内部から前側を向いたときに右側の下端に位置する右下摺動部と、前記左下摺動部と前記右下摺動部との間に配置されたフック部とを備え、前記フック部は、下方に向かって延在するフック根元部と、前記フック根元部の下端から前側に向かって延在するフック先端部とを含み、前記筐体の内部には、前記ユニットの前記左下摺動部を支持し、前後方向に延在する左レールと、前記ユニットの前記右下摺動部を支持し、前後方向に延在する右レールと、前記左レールの途中と前記右レールの途中とを結ぶように配置されたストッパとが配置され、前記ストッパは、前側にいくほど低くなる傾斜面と、前記筐体内に設置が完了した状態の前記ユニットの前記フック先端部の上端より高く前記フック根元部の上端より低い高さで左右方向に延在し、後ろ側に向かって露出するストッパ後端辺とを有している。
【図面の簡単な説明】
【０００９】
【図１】本発明に基づく実施の形態１における電源装置の斜視図である。
【図２】本発明に基づく実施の形態１における電源装置から扉を取り去った状態の斜視図である。
【図３】本発明に基づく実施の形態１における電源装置のほぼフレームのみを残した状態の斜視図である。
【図４】本発明に基づく実施の形態１における電源装置に搭載されているユニットの第１の斜視図である。
【図５】本発明に基づく実施の形態１における電源装置に搭載されているユニットの第２の斜視図である。
【図６】本発明に基づく実施の形態１における電源装置に搭載されているユニットの一部の斜視図である。
【図７】本発明に基づく実施の形態１における電源装置に搭載されているユニットに含まれる右側板の斜視図である。
【図８】本発明に基づく実施の形態１における電源装置に搭載されているユニットの部分側面図である。
【図９】本発明に基づく実施の形態１における電源装置に搭載されているユニットに含まれる、フック部とベース板とが一体となった部品の断面図である。
【図１０】本発明に基づく実施の形態１における電源装置に搭載されているユニットに含まれる、フック部とベース板とが一体となった部品の変形例の断面図である。
【図１１】本発明に基づく実施の形態１における電源装置からユニットを途中まで引き出した状態の斜視図である。
【図１２】本発明に基づく実施の形態１における電源装置に含まれるストッパの斜視図である。
【図１３】本発明に基づく実施の形態１における電源装置に含まれる左レール、右レールおよびストッパを組み合わせた構造の部分斜視図である。
【図１４】図１３に示した構造の部分側面図である。
【図１５】開口部を通じてユニットを前方にできるだけ引き出した状態の説明図である。
【図１６】本発明に基づく実施の形態１における電源装置のフック部がストッパに掛合した状態の部分拡大断面図である。
【図１７】新たに外部から持ち込んだユニットを筐体内に搭載しようとする際にストッパを乗り越える様子の説明図である。
【発明を実施するための形態】
【００１０】
（実施の形態１）
図１〜図１７を参照して、本発明に基づく実施の形態１における電源装置について説明する。本実施の形態における電源装置１０１の外観を図１に示す。電源装置１０１は、筐体１と、筐体１の前側を塞ぐ扉２ａ，２ｂと、筐体１の下側に配置され、筐体１を支持する脚３とを備える。扉２ａ，２ｂは開閉可能である。電源装置１０１から蓋２ａ，２ｂを取り去ったところを図２に示す。筐体１は前側に開口部８を有する。図２では、開口部８を通じて内部に配置された各種装置が見えている。筐体１の内部には、複数のユニット１０が配置されている。ユニット１０は、たとえばキャパシタ、冷却フィン、コネクタなどを備える変換ユニットであってよい。図２に示した例では１つの筐体１の中に６個のユニット１０が搭載されているが、ユニット１０の数は６に限らず他の数であってもよい。図２の状態からさらにいくつかの部品を取り去ったところを図３に示す。図３では、フレーム４が見えている。筐体１の外形の大部分はフレーム４によって規定されている。
【００１１】
筐体１の内部に配置されていたユニット１０を単独で取り出したところを図４に示す。この例では、ユニット１０は変換ユニットである。ここで示すユニット１０の具体的な構造はあくまで一例であって、このとおりとは限らない。図４に示した例では、ユニット１０は、左側板１７と右側板１８とを備える。ユニット１０は、前側の左右に取っ手２１を備える。ユニット１０は、後ろ側の左右に、作業員がユニット１０を持つ際に手を入れるための開口部である取っ手２２を有する。ユニット１０を後方斜め下から見たところを図５に示す。ユニット１０の一部のみを取り出したところを図６に示す。図６では、左側板１７と、右側板１８と、これらをつなぐように配置された前側ベース板１９とが示されている。右側板１８のみを単独で取り出したところを図７に示す。ユニット１０の後部を側方から見たところを図８に示す。左側板１７の向こう側に、フック部１５とベース板１６とが隠れている。この例では、フック部１５とベース板１６とは一体的な板材によって形成されているが、別々の部品によってそれぞれ形成された後で互いに組み合わせられたものであってもよい。図８においては、フック部１５とベース板１６とは左側板１７の向こう側に隠れているので破線で示されている。フック部１５とベース板１６とが一体となった部品の後端近傍の部分断面図を図９に示す。フック部１５は、フック部根元部１５ａと、フック部先端部１５ｂとを含む。本実施の形態では、図９に示すようにフック部１５では板材がほぼ直角に２回曲がっているものとしているが、形状はこれに限らず、図１０に示すように丸みを帯びた形状であってもよい。その場合、先端に近い一定部分をフック部先端部１５ｂとみなすことができ、それ以外の根元側の部分をフック部根元部１５ａとみなすことができる。
【００１２】
筐体１内に設置されていたユニット１０を途中まで引き出した状態で斜め下から見た様子を図１１に示す。図１１では、説明の便宜のために、関係する部品のみを表示している。図１１に示すように、筐体１内において、左レール１３および右レール１４が前後方向に延在するように配置されている。左レール１３と右レール１４との間をつなぐようにストッパ５が接続されている。左レール１３には、ユニット１０の左下摺動部１１が載っている。右レール１４には、ユニット１０の右下摺動部１２が載っている。
【００１３】
ストッパ５を単独で取り出したところを図１２に示す。ストッパ５は、左右方向に長くなっており、金属板で一体的に形成されている。図１２においては矢印９４の向きが前向きである。ストッパ５は、前側に傾斜面５ａを有し、後ろ側にストッパ後端辺５ｂを有する。これらの間には平坦なストッパ上面５ｃを有する。さらに、ストッパ５は、左右両端にストッパ接続部５ｄ，５ｅを備える。
【００１４】
左レール１３および右レール１４にストッパ５が取り付けられた様子を図１３に示す。ストッパ接続部５ｄは、左レール１３に対して接続されている。ストッパ接続部５ｅは、右レール１４に対して接続されている。ストッパ５とレールとの間の接続は、ネジ留めによってなされてもよい。図１３における矢印９３の向きから見たところを図１４に示す。ストッパ５の上面は左レール１３の上面よりも高い位置にある。ストッパ後端辺５ｂの下端は、左レール１３の上面よりも高い位置にある。
【００１５】
開口部８を通じてユニット１０を前方にできるだけ引き出したときの様子を図１５に示す。図１５では、説明の便宜のため、筐体１の側面の板を取り去った状態で示している。ユニット１０を左レール１３および右レール１４に沿って平行に前方に引き出したときにはある程度引き出した時点でこの状態となる。左側板１７の向こう側でフック部１５がストッパ５に掛合している。この掛合によりユニット１０はこれ以上前側に移動することが阻止されている。断面を図１６に示す。この状態では、ストッパ後端辺５ｂはフック部１５に当接している。
【００１６】
ユニット１０を完全に引き抜いて取り外したい場合には、作業者はユニット１０の前側部分に下向きの力を加えることによって、ユニット１０の奥側を若干持ち上げ、その状態で引き抜くとよい。そうすれば、フック部１５はストッパ５に掛合することなくストッパ５を乗り越えて前方に移動することができる。こうして、ユニット１０は完全に引き抜くことができる。
【００１７】
左レール１３および右レール１４の上にユニット１０が搭載されていない状態で、新たに外部から持ち込んだユニット１０を搭載しようとする場合は、図１７に示すように、前側からユニット１０を押し込めば、フック部１５は、ストッパ５の前側の傾斜面５ａに沿って押し込まれ、ストッパ５を乗り越えることができる。こうして、円滑にユニット１０を奥まで押し込むことができる。
【００１８】
図１１、図１５、図１７に示されたユニット１０は、図４、図５などに示したユニット１０と異なった構造となっているが、実際にはいずれか一方の構造であってよい。ただし、ユニット１０の構造はここで図示した２種類に限られず、さまざまな構造のものが考えられる。
【００１９】
本実施の形態における電源装置１０１の構成を整理すると、以下のように表現することができる。
【００２０】
本実施の形態における電源装置１０１は、前側に開口部８を有し、自立可能な筐体１と、開口部８を通じて前後方向に抜き差し可能なように筐体１の内部に配置されたユニット１０とを備える。ユニット１０は、筐体１の内部から前側を向いたときに左側の下端に位置する左下摺動部１１と、筐体１の内部から前側を向いたときに右側の下端に位置する右下摺動部１２と、左下摺動部１１と右下摺動部１２との間に配置されたフック部１５とを備える。フック部１５は、下方に向かって延在するフック根元部１５ａと、フック根元部１５ａの下端から前側に向かって延在するフック先端部１５ｂとを含む。筐体１の内部には、ユニット１０の左下摺動部１１を支持し、前後方向に延在する左レール１３と、ユニット１０の右下摺動部１２を支持し、前後方向に延在する右レール１４と、左レール１３の途中と右レール１４の途中とを結ぶように配置されたストッパ５とが配置されている。ストッパ５は、前側にいくほど低くなる傾斜面５ａと、筐体１内に設置が完了した状態のユニット１０のフック先端部１５ｂの上端より高くフック根元部１５ａの上端より低い高さで左右方向に延在し、後ろ側に向かって露出するストッパ後端辺５ｂとを有している。
【００２１】
本実施の形態では、筐体１の内部に設置された左レール１３および右レール１４によってユニット１０の左下摺動部１１および右下摺動部１２を支持する構成となっているので、簡単な構造でユニット１０の引出しを可能としている。さらに、本実施の形態では、ストッパ５およびフック部１５が配置されているので、これらが互いに掛合することにより、ユニット１０がこれ以上前側に移動することが阻止され、ユニット１０の落下を防止することができる。また、必要に応じてユニット１０を取り外すことができる。ユニット１０を取り付ける際にも、ストッパ５は傾斜面５ａを有しているので、ユニット１０の取付け作業は円滑に行なうことができる。本実施の形態では、部品点数はあまり多くならず、組立作業も複雑ではないので、コスト増大を招くことはない。
【００２２】
フック部１５はユニット１０の重心よりも後ろ側にあり、フック部１５からユニット１０の重心までの前後方向の距離は、ストッパ５から左レール１３の前端または右レール１４の前端までの距離より短いことが好ましい。この構成を採用することにより、フック部１５をストッパ５に掛合させた状態で、ユニット１０の重心は必ず左レール１３の前端または右レール１４の前端より後ろ側に位置するので、ユニット１０は安定してレールに載った状態となる。したがって、ユニット１０の不所望な落下を防止することができる。
【００２３】
ストッパ５は、金属板によって一体的に形成されていることが好ましい。この構成を採用することにより、部品点数を減らすことができ、コストを抑えることができる。図１２に例示したストッパ５は、金属板によって一体的に形成されたものである。このように金属板を所定の形状に加工し、折り曲げることによってストッパ５を形成することができる。ストッパ５の具体的な形状は、図１２に限らず他の形状のものも考えられる。
【００２４】
図１２に示すように、ストッパ５は、傾斜面５ａとストッパ後端辺５ｂとの間に平坦なストッパ上面５ｃを有することが好ましい。ストッパ上面５ｃの存在自体は必須ではないが、このようなストッパ上面５ｃが存在することにより、図１７に示すようにストッパ５を乗り越えてユニット１０を前または後ろに移動させる際に円滑な移動が可能となる。
【００２５】
ユニット１０は、筐体１の内部から前側を見たときの左側の側面に左側板１７を備え、筐体１の内部から前側を見たときの右側の側面に右側板１８を備え、左下摺動部１１は左側板１７の下端部であり、右下摺動部１２は右側板１８の下端部であることが好ましい。この構成を採用することにより、部品点数の増大を抑えることができる。図６および図７に示すように、少ない数の部品で堅固な構造を得ることができる。
【００２６】
図４および図５に示すように、ユニット１０は、作業者が把持するための取っ手２１，２２を備えることが好ましい。取っ手２１は追加的な部品で突出するように形成されたものである。取っ手２１はたとえば金属棒で形成されたものであってよい。取っ手２２は側板に設けられた開口部である。取っ手２２は作業者の手が入る程度のサイズの開口部である。このように、取っ手の形態はさまざまなものが考えられる。取っ手はユニット１０の左右に分散して設けられることが好ましい。取っ手は左右対称に設けられることが好ましい。
【００２７】
ここまで、電源装置の下部に複数個収容されていた変換ユニットをユニット１０とみなして説明してきたが、電源装置の中で、ユニット１０となりうるのは変換ユニットのみとは限らない。１つの電源装置の中で複数種類の装置が「ユニット」となりうる。作業者によって前側から引き出される可能性があるその他の装置を「ユニット」とみなして当該装置のためにフック部、ストッパを設けることとしてもよい。
【００２８】
なお、今回開示した上記実施の形態はすべての点で例示であって制限的なものではない。本発明の範囲は上記した説明ではなくて請求の範囲によって示され、請求の範囲と均等の意味および範囲内でのすべての変更を含むものである。
【符号の説明】
【００２９】
１  筐体、２ａ，２ｂ  扉、３  脚、４  フレーム、５  ストッパ、５ａ  傾斜面、５ｂ  ストッパ後端辺、５ｃ  ストッパ上面、５ｄ，５ｅ  ストッパ接続部、８  開口部、１０  ユニット、１１  左下摺動部、１２  右下摺動部、１３  左レール、１４  右レール、１５  フック部、１５ａ  フック部根元部、１５ｂ  フック部先端部、１６  ベース板、１７  左側板、１８  右側板、１９  前側ベース板、２１，２２，２３  取っ手、９１，９２，９３，９４  矢印、１０１  電源装置。
【図１】
2017072946.tif 000003
【図２】
2017072946.tif 000004
【図３】
2017072946.tif 000005
【図４】
2017072946.tif 000006
【図５】
2017072946.tif 000007
【図６】
2017072946.tif 000008
【図７】
2017072946.tif 000009
【図８】
2017072946.tif 000010
【図９】
2017072946.tif 000011
【図１０】
2017072946.tif 000012
【図１１】
2017072946.tif 000013
【図１２】
2017072946.tif 000014
【図１３】
2017072946.tif 000015
【図１４】
2017072946.tif 000016
【図１５】
2017072946.tif 000017
【図１６】
2017072946.tif 000018
【図１７】
2017072946.tif 000019
【国際調査報告】
2017072946.tif 000020
2017072946.tif 000021